(57)【特許請求の範囲】
【請求項１】
アッパボディと、このアッパボディに着脱可能に嵌着したロアボディを備え、押圧操作によって可動接点を固定接点に接触させるノブの周縁に下端部を広げた裾部を連設して該下端部を前記アッパボディに連結し、前記裾部の弾力で前記ノブの押圧変形を復元するプッシュスイッチであって、前記ノブと前記裾部及び前記アッパボディを軟質プラスチック材で一体成形すると共に、前記ノブの裏面と前記アッパボディの裏面に硬質プラスチック層を２色成形して裏打ちし、かつ前記ノブの裏面に凸部を設けるとともに、前記ロアボディに前記ノブの凸部の一側に当接する凸部を設け、前記ノブが両凸部の当接部を支点にして所定方向へ傾動するように構成したことを特徴とするプッシュスイッチ。
【発明の詳細な説明】
【０００１】
【発明の属する技術分野】
本発明はプッシュスイッチに関する。
【０００２】
【従来の技術】
プッシュスイッチの一形式として、ボディに組付けたノブを押圧操作して可動接点を固定接点に接触させ、ノブの裏側に配置した外形が円錐台形の筒状ゴム部材の弾性でノブの押圧操作時の節度感を出すように構成したものが知られている。
【０００３】
【発明が解決しようとする課題】
上述した従来のプッシュスイッチは別々に成形したボディとノブ及びゴム部材を組立てるため、組付作業に時間がかかりコストが高くなる。
また、ノブを硬質のプラスチック材で成形した場合、指に硬い感触が伝わるので操作感が悪い。
本発明はかかる点に鑑み、組付作業性が良く、コストの低減が可能で、かつ操作感も良好なプッシュスイッチを提供することを目的とする。
【０００４】
【課題を解決するための手段】
請求項１に記載の発明は、アッパボディと、このアッパボディに着脱可能に嵌着したロアボディを備え、押圧操作によって可動接点を固定接点に接触させるノブの周縁に下端部を広げた裾部を連設して該下端部を前記アッパボディに連結し、前記裾部の弾力で前記ノブの押圧変形を復元するプッシュスイッチであって、前記ノブと前記裾部及び前記アッパボディを軟質プラスチック材で一体成形すると共に、前記ノブの裏面と前記アッパボディの裏面に硬質プラスチック層を２色成形して裏打ちし、かつ前記ノブの裏面に凸部を設けるとともに、前記ロアボディに前記ノブの凸部の一側に当接する凸部を設け、前記ノブが両凸部の当接部を支点にして所定方向へ傾動するように構成したことを特徴とする。
【０００５】
【発明の作用・効果】
請求項１に係る発明によれば、アッパボディとノブを連結する軟質プラスチック製の裾部の弾性変形によってノブの押圧操作時の節度感を出すことができる。また、アッパボディとノブ及び裾部を一体成形したので、これらの部品を組付ける作業を省略でき、コストの大幅な低減が可能となるだけでなくノブとアッパボディとの隙間をなくすことができ、耐水性及び耐塵性が良い。さらに、アッパボディとノブは硬質プラスチック層で裏打ちして補強したので、表面を変形容易な軟質プラスチック材で成形したにも拘らず、アッパボディやノブの形状変形を防止できるとともにノブを押圧するときの感触が軟らかくなり、良好な操作感を出すことができる。
また、ロアボディの凸部とノブの裏面の凸部を当接することによりノブの押圧操作時にノブが所定方向へ傾動するようにしたので、弾性変形して節度感を与える裾部が傾動方向側に限定される。従って、ノブの押圧操作時に発生する節度感が一回に限定されるので、操作感がより良好になる。
【０００６】
【発明の実施の形態】
以下に本発明を説明するに、図１及び図２には本発明を理解するうえで助けとなる参考例１に係るプッシュスイッチ１０が示されている。当該プッシュスイッチ１０は運転者の好みで車両用シートの前後位置やシートバックのリクライニング角度のデータを予め記憶設定しておき、記憶したデータに基づいてシートを自動的に調整するシート制御装置におけるデータの記憶設定入力手段に用いるものであって、ボディ１１の表面に３個のノブ１２が配列され、各ノブ１２とボディ１１が裾部１３を介して連結されている。
ボディ１１はアッパボディ１１Ａとこのアッパボディ１１Ａに着脱可能に嵌着したロアボディ１１Ｂから成り、ボディ１１Ａは非透光性を有する軟質ポリエステルで成形されている。アッパボディ１１Ａの裏面には透光性を有する硬質ポリカーボネート層１４を２色成形によって裏打ちしている。この硬質ポリカーボネート層１４はボディ１１とノブ１２の裏面に形成され、裾部１３の裏面には形成されていない。
【０００７】
アッパボディ１１Ａと各ノブ１２及び裾部１３は一体成形されている。ノブ１２には表面から裏面に貫通するスリット１２ａによって記号１２ｂ，１２ｃ，１２ｄが形成され、スリット１２ａが裏打ちした硬質ポリカーボネート層１４の一部で埋められている。また、ノブ１２の裏面には凸片１２ｅが垂設されている。裾部１３は各ノブ１２の周縁に連設され、その下端部は拡開してアッパボディ１１Ａに接続している。
ボディ１１の内部にはプラスチックフィルム製の基板１５，１６，１７が３枚積層され、各ノブ１２の凸片１２ｅの下端が上層基板１５に当接している。上層基板１５の表面には発光素子１８が固着され、裏面には導電インクで可動接点１９が印刷されている。中間の基板１６にはノブ１２の押圧操作時に可動接点１９が通過する通孔１６ａが形成されている。下層基板１７の上面には可動接点１６ａが接離する固定接点２０が導電インクで印刷されている。
【０００８】
参考例１に係るプッシュスイッチ１０の構造は以上の通りであって、ノブ１２を押圧操作すると、裾部１３が弾性変形して凸片１２ｅが押し下げられ、凸片１２ｅによって上層基板１５が湾曲変形し、可動接点１９が固定接点２０に接触する。ノブ１２の押圧操作を解除すれば、裾部１３の弾性復原力でノブ１２が元位置へ復帰するので、可動接点１９は固定接点２０から離脱する。
しかして、参考例１に係るプッシュスイッチ１０によれば、アッパボディ１１Ａとノブ１２を連結する軟質ポリエステル製の裾部１３の弾性変形によってノブ１２の押圧操作時の節度感を出すことができる。また、アッパボディ１１Ａとノブ１２及び裾部１３を一体成形したので、これらの部品を組付ける作業を省略でき、コストの大幅な低減が可能となる。さらに、アッパボディ１１Ａとノブ１２は硬質ポリカーボネート層で裏打ちして補強したので、表面を変形容易な軟質ポリエステルで成形したにも拘らず、ボディ１１やノブ１２の形状変形を防止でき、かつノブ１２を押圧するときの感触が軟らかくなり、良好な操作感を与えることができる。また、ノブ１２とアッパボディ１１Ａ及び裾部１３を一体成形したので、ノブ１２とアッパボディ１１Ａとの隙間がなく、耐水性及び耐塵性が良い。
さらに、発光素子１８の光がスリット１２ａを埋めている透光性の硬質ポリカーボネートを通過することによりスリット１２ａで形成した記号１２ｂ，１２ｃ，１２ｄが照明されるので、視認性がきわめて良い。
なお、参考例１に係るプッシュスイッチ１０はシート制御装置におけるデータの記憶設定入力手段に用途限定されるものではなく、様々な入力手段に適用できることは勿論である。
【０００９】
次に、本発明の実施形態に係るプッシュスイッチ１０Ａを説明するに、第３図及び第４図には第２実施形態に係るプッシュスイッチ１０Ａの主要部が示されている。
当該プッシュスイッチ１０Ａでは、ロアボディ１１Ｂに凸部１１ｃが一体成形により設けられ、基板１５，１６，１７を貫通してノブ１２の裏面に設けた凸片１２ｅの一側に当接している。なお、第２実施形態に係るプッシュスイッチ１０Ａの他の構成は第１実施形態に係るプッシュスイッチ１０と同じであるので、同一の構成部材には同一の符号を付して説明を省略する。
本実施形態に係るプッシュスイッチ１０Ａによれば、ノブ１２を押圧操作すると図４に示すように、ノブ１２が凸部１１ｃと凸片１２ｅの当接部を支点にして図中右方向へ傾動し、凸部１１ｃに当接していない凸片１２ｅの他側によって上層基板１５が湾曲変形し、可動接点１９が固定接点２０に接触する。
このように、本実施形態に係るプッシュスイッチ１０Ａではノブ１２の押圧操作時にノブ１２が１方向へ傾動するので、弾性変形して節度感を出す裾部１３が傾動方向側に限定される。従って、ノブ１２の押圧操作時に発生する節度感が一回に限定されるので、操作感がより良好になる。
なお、凸部１１ｃが直接ノブ１２の裏面に当接するまで延長しても、あるいは凸片１２ｅの一側をロアボディ１１Ｂに当接するまで延長しても本実施形態に係るプッシュスイッチ１０Ａと同様の作用、効果を奏することは可能である。
【００１０】
次に、本発明の理解の助けとなる参考例２に係るプッシュスイッチ１０Ｂを説明するに、第５図〜第７図には第３実施形態に係るプッシュスイッチ１０Ｂの主要部が示されている。
当該プッシュスイッチ１０Ｂでは、ノブ１２の裏面の中心からロッド状の凸片１２ｆが垂設され、基板１５，１６，１７を貫通してロアボディ１１Ｂに当接している。また、基板１５には４種類の可動接点１９が印刷され、基板１７には各可動接点１９に対応する４種類の固定接点２０が印刷されている。なお、参考例２に係るプッシュスイッチ１０Ｂの他の構成は第１実施形態に係るプッシュスイッチ１０と同じであるので、同一の構成部材には同一の符号を付して説明を省略する。
参考例２に係るプッシュスイッチ１０Ｂによれば、ノブ１２の左側を押圧操作すると図７に示すように、ノブ１２が凸片１２ｆとロアボディ１１Ｂの当接部を支点にして左側へ傾動し、凸片１２ｅによって上層基板１５が湾曲変形し、可動接点１９が固定接点２０に接触する。また、ノブ１２を右側へ押圧すれば右側へ傾動し、上下側に押圧すれば上下側へ傾動する。
このように、プッシュスイッチ１０Ｂではノブ１２の押圧操作時にノブ１２が左右と上下の４方向へ傾動するので、傾動方向に応じて４種類の接点切替が可能となり、スイッチの機能が向上する。
【図面の簡単な説明】
【図１】  本発明の理解の助けとなる参考例１に係るプッシュスイッチを示す平面図である。
【図２】  図１の２−２線から切断した断面図である。
【図３】  本発明の実施形態に係るプッシュスイッチの主要部を示す断面図である。
【図４】  本発明の実施形態に係るプッシュスイッチの作動を説明する断面図である。
【図５】  本発明の理解の助けとなる参考例２に係るプッシュスイッチの主要部を示す平面図である。
【図６】  図５の６−６線から切断した断面図である。
【図７】  参考例２に係るプッシュスイッチの作動を説明する断面図である。
【符号の説明】
１０，１０Ａ，１０Ｂ…プッシュスイッチ、１１…ボディ、１１ｃ…凸部、１２…ノブ、１２ａ…スリットも１２ｂ，１２ｃ，１２ｄ…記号、１２ｆ…凸片、１３…裾部、１４…硬質ポリカーボネート層、１８…発光素子、１９…可動接点、２０…固定接点
【図１】
0003638722.tif 000002
【図２】
0003638722.tif 000003
【図３】
0003638722.tif 000004
【図４】
0003638722.tif 000005
【図５】
0003638722.tif 000006
【図６】
0003638722.tif 000007
【図７】
0003638722.tif 000008